(57)【要約】【課題】電子データを表示する通信端末装置において、ページ遷移時のＣＰＵの処理量及びＲＡＭの使用量を抑える構成を提供する。【解決手段】スマートフォンの表示部は、ベース画像のデータ表示領域にデータが入力された画像であるデータ表示画像を表示する。スマートフォンは、表示部にデータ表示画像を表示するとともに、ベース画像及びデータ表示画像のうち少なくとも何れかをバックグラウンドでＲＡＭに保持する。スマートフォンは、データ表示画像を遷移させる指示を受付部が受け付けた場合に、表示部に表示中のデータ表示画像をバックグラウンドに移行してＲＡＭに保持するとともに、バックグラウンドで保持されていたベース画像又はデータ表示画像のデータ表示領域にデータを入力して作成したデータ表示画像を表示部に表示する。【選択図】図２
2014206646.tif 000002
【特許請求の範囲】
【請求項１】
ベース画像のデータ表示領域にデータが入力された画像であるデータ表示画像を表示する表示部と、
前記表示部に表示する前記データ表示画像に加え、前記ベース画像及び前記データ表示画像のうち少なくとも何れかをバックグラウンドで保持する記憶部と、
前記データ表示画像を別の前記データ表示画像へ遷移させる指示を受け付ける受付部と、
制御部と、
を備え、
前記制御部は、
前記表示部に前記データ表示画像を表示するとともに、前記ベース画像及び前記データ表示画像のうち少なくとも何れかをバックグラウンドで前記記憶部に保持する制御と、
前記データ表示画像を遷移させる指示を前記受付部が受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する制御と、
を行うことを特徴とする通信端末装置。
【請求項２】
請求項１に記載の通信端末装置であって、
前記記憶部は、前記表示部に表示する前記データ表示画像に加え、前記ベース画像又は前記データ表示画像のうち一方を１枚分だけバックグラウンドで保持することを特徴とする通信端末装置。
【請求項３】
請求項１又は２に記載の通信端末装置であって、
前記制御部は、前記受付部が前記データ表示画像の遷移を受け付けた場合に、前記表示部に表示中の前記データ表示画像のデータ表示領域に記載されたデータを残した状態で、当該データ表示画像をバックグラウンドに移行して前記記憶部に保持することを特徴とする通信端末装置。
【請求項４】
請求項１から３までの何れか一項に記載の通信端末装置であって、
前記データ表示画像のデータ表示領域に記載されたデータがテキストデータであることを特徴とする通信端末装置。
【請求項５】
ベース画像のデータ表示領域にデータが入力された画像であるデータ表示画像を通信端末装置の表示部に表示する画像表示方法において、
前記表示部に前記データ表示画像を表示するとともに、前記ベース画像及び前記データ表示画像のうち少なくとも何れかをバックグラウンドで前記通信端末装置の記憶部に保持する工程と、
前記データ表示画像を別の前記データ表示画像へ遷移させる指示を受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する工程と、
を含むことを特徴とする画像表示方法。
【請求項６】
ベース画像のデータ表示領域にデータが入力された画像であるデータ表示画像を通信端末装置の表示部に表示する処理をコンピュータに実行させる画像表示プログラムにおいて、
前記表示部に前記データ表示画像を表示するとともに、前記ベース画像及び前記データ表示画像のうち少なくとも何れかをバックグラウンドで前記通信端末装置の記憶部に保持する手順と、
前記データ表示画像を別の前記データ表示画像へ遷移させる指示を受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する手順と、
を含むことを特徴とする画像表示プログラム。
【発明の詳細な説明】
【技術分野】
【０００１】
本発明は、主として、データ表示画像を表示部に表示する通信端末装置に関する。
【背景技術】
【０００２】
従来から、スマートフォン、ＰＣ（パーソナルコンピュータ）等の通信端末装置を用いて、電子データ（電話帳、書類、及び書籍等）を閲覧することが行われている。電子データを閲覧する場合、電子データをページ毎に表示して次のページに遷移することで新たな情報を表示する方法と、電子データを連続的に表示してスクロールにより新たな情報を表示する方法と、が存在する。
【０００３】
しかし、電子データをページ毎に表示する場合、演算処理等の影響により、次のページを表示するまで時間が掛かることがある。また、電子データを連続的に表示する場合であっても、スクロールしてから内容が表示されるまでに同様に時間が掛かることがある。特許文献１及び２は、この点を解消する技術を開示する。
【０００４】
特許文献１は、電子データ（電子書籍）をページ毎に表示する電子ブック装置を開示する。この電子ブック装置では、ページを素早くめくって所望の部分を見つけるという実際の書籍と同様の閲覧方法が利用可能である。また、この電子ブック装置では、ＣＰＵ（中央演算処理装置）の処理量及び主記憶装置としてのＲＡＭ（ランダムアクセスメモリ）の使用量を抑えるために、ページを素早くめくる場合は各ページの一部分（例えば右端から４分の１程度）のみを表示するモードを有している。
【０００５】
特許文献２は、電子データを連続的に表示する端末において、情報を表示しつつ高速にスクロールを行う処理方法を開示する。この処理方法では、スクロール中は情報をモノクロで表示し、色付けを後から行う。これにより、モノクロのデータはデータ量が少ないのでＣＰＵの演算量を抑えて高速スクロールが実現できるとともに、ＲＡＭの使用量を抑えることができる。
【先行技術文献】
【特許文献】
【０００６】
【特許文献１】特開２０１２−８８８０１号公報
【特許文献２】特許第３３７４４４９号公報
【発明の概要】
【発明が解決しようとする課題】
【０００７】
しかし、特許文献１のように、電子データの一部分のみを表示する場合、ページの遷移回数が多くなるとＲＡＭの使用量が増大してしまう。また、特許文献２のように、電子データをモノクロで表示する処理を行う場合であっても、スクロール量が多くなると、ＲＡＭの使用量が増大してしまう。従って、ＲＡＭの記憶領域を開放する処理等を別途行う必要がある。
【０００８】
また、電子データのページの一部表示は、電子データの構成要素を一部削減するため、ユーザに違和感を与えることが考えられる。また、この表示方法は、電子データを１ページずつ確認しながらページを遷移させるような閲覧態様には適していない。
【０００９】
従って、電子データを１ページずつ確認する閲覧態様の場合、スムーズなページ遷移を実現するためには、複数ページ分の画像を予め作成してＲＡＭに記憶しておく必要がある。しかしこの場合は、ＲＡＭの使用量が増大するとともに、ＣＰＵの処理量も増大する。更に、通常は表示前の画像だけでなく表示後の画像もＲＡＭに蓄積されるので、ＲＡＭの使用量が増大し、ＲＡＭの記憶領域を開放する処理が必要となる。
【００１０】
本発明は以上の事情に鑑みてされたものであり、その主要な目的は、電子データを表示する通信端末装置において、ページ遷移時のＣＰＵの処理量及びＲＡＭの使用量を抑える構成を提供することにある。
【課題を解決するための手段及び効果】
【００１１】
本発明の解決しようとする課題は以上の如くであり、次にこの課題を解決するための手段とその効果を説明する。
【００１２】
本発明の第１の観点によれば、以下の構成の通信端末装置が提供される。即ち、この通信端末装置は、表示部と、記憶部と、受付部と、制御部と、を備える。前記表示部は、ベース画像のデータ表示領域にデータが入力された画像であるデータ表示画像を表示する。前記記憶部は、前記表示部に表示する前記データ表示画像に加え、前記ベース画像及び前記データ表示画像のうち少なくとも何れかをバックグラウンドで保持する。前記受付部は、前記データ表示画像を別の前記データ表示画像へ遷移させる指示を受け付ける。前記制御部は、前記表示部に前記データ表示画像を表示するとともに、前記ベース画像及び前記データ表示画像のうち少なくとも何れかをバックグラウンドで前記記憶部に保持する。また、制御部は、前記データ表示画像を遷移させる指示を前記受付部が受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する。
【００１３】
これにより、データ表示領域のデータを書き換えて新たなデータ表示画像を作成しているため、記憶部の使用量の増加を抑えることができる。従って、記憶部の記憶領域を開放する処理を省略することができる。また、ページ遷移毎に新たに画像を作成する構成と比較して、制御部の処理量を軽減できる。
【００１４】
前記の通信端末装置においては、前記記憶部は、前記表示部に表示する前記データ表示画像に加え、前記ベース画像又は前記データ表示画像のうち一方を１枚分だけバックグラウンドで保持することが好ましい。
【００１５】
これにより、合計２枚分の画像を記憶部に記憶するだけで良いので、記憶部の使用量を一層抑えることができる。
【００１６】
前記の通信端末装置においては、前記制御部は、前記受付部が前記データ表示画像の遷移を受け付けた場合に、前記表示部に表示中の前記データ表示画像のデータ表示領域に記載されたデータを残した状態で、当該データ表示画像をバックグラウンドに移行して前記記憶部に保持することが好ましい。
【００１７】
これにより、バックグラウンドへの移行時にデータ表示領域のデータを削除する処理を省略できる。また、データ表示画像の遷移を再び受け付けたときは、データ表示領域に記載されたデータを上書きすれば良いので、特に問題は生じない。
【００１８】
前記の通信端末装置においては、前記データ表示画像のデータ表示領域に記載されたデータがテキストデータであることが好ましい。
【００１９】
これにより、データ量が少ないテキストデータのみを書き換え、例えばアイコンや背景映像等のデータ量が多い他の部分を再利用できるので、制御部の処理量を低減できる。
【００２０】
本発明の第２の観点によれば、ベース画像のデータ表示領域にデータが入力された画像であるデータ表示画像を通信端末装置の表示部に表示する画像表示方法において、以下の工程を含む方法が提供される。即ち、この画像表示方法は、前記表示部に前記データ表示画像を表示するとともに、前記ベース画像及び前記データ表示画像のうち少なくとも何れかをバックグラウンドで前記通信端末装置の記憶部に保持する工程を含む。また、この画像表示方法は、前記データ表示画像を別の前記データ表示画像へ遷移させる指示を受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する工程を含む。
【００２１】
これにより、データ表示領域のデータを書き換えて新たなデータ表示画像を作成しているため、記憶部の使用量の増加を抑えることができる。従って、記憶部の記憶領域を開放する処理を省略することができる。また、ページ遷移毎に新たに画像を作成する構成と比較して、制御部の処理量を軽減できる。
【００２２】
本発明の第３の観点によれば、ベース画像のデータ表示領域にデータが入力された画像であるデータ表示画像を通信端末装置の表示部に表示する画像表示プログラムにおいて、以下の手順を含むプログラムが提供される。即ち、この画像表示プログラムは、前記表示部に前記データ表示画像を表示するとともに、前記ベース画像及び前記データ表示画像のうち少なくとも何れかをバックグラウンドで前記通信端末装置の記憶部に保持する手順を含む。また、この画像表示方法は、前記データ表示画像を別の前記データ表示画像へ遷移させる指示を受け付けた場合に、前記表示部に表示中の前記データ表示画像をバックグラウンドに移行して前記記憶部に保持するとともに、バックグラウンドで保持されていた前記ベース画像又は前記データ表示画像のデータ表示領域にデータを入力して作成した前記データ表示画像を前記表示部に表示する手順を含む。
【００２３】
これにより、データ表示領域のデータを書き換えて新たなデータ表示画像を作成しているため、記憶部の使用量の増加を抑えることができる。従って、記憶部の記憶領域を開放する処理を省略することができる。また、ページ遷移毎に新たに画像を作成する構成と比較して、制御部の処理量を軽減できる。
【図面の簡単な説明】
【００２４】
【図１】本発明の一実施形態に係るスマートフォンの構成を示すブロック図。
【図２】連絡先表示画像（データ表示画像）の表示を切り替える処理を示すフローチャート。
【図３】連絡先表示画像（データ表示画像）とベース画像とを説明する図。
【図４】連絡先表示画像（データ表示画像）を遷移させるときの処理の前半部を概念的に示す図。
【図５】連絡先表示画像（データ表示画像）を遷移させるときの処理の後半部を概念的に示す図。
【図６】従来例における、連絡先表示画像を遷移させるときの処理を概念的に示す図。
【発明を実施するための形態】
【００２５】
次に、図面を参照して本発明の実施の形態を説明する。図１は、スマートフォンの構成を示すブロック図である。
【００２６】
本実施形態は、スマートフォン１０等の通信端末装置に、連絡先等のデータ表示画像を表示する際の処理方法に関する。図１に示すように、スマートフォン（通信端末装置）１０は、ＣＰＵ（制御部）１１と、ＲＡＭ（記憶部）１２と、ストレージ１３と、タッチパネル１４と、を備えている。
【００２７】
ＣＰＵ１１は、スマートフォン１０を動作させるための各種の演算を行う。ＣＰＵ１１は、例えば外部の機器と通信する制御、内部に記憶されている情報を表示する制御、及びユーザの指示に応じて表示する情報を変化させる制御等を実行する。
【００２８】
ＲＡＭ（記憶部）１２は、ＣＰＵ１１が直接的にアクセスできる装置である。ＲＡＭ１２は、ＣＰＵ１１が実行中のプログラム及び表示中の画像等を記憶する。本実施形態は、主記憶装置であるＲＡＭ１２の一部を描画用のメモリとして使用しているが、ＲＡＭ１２の他に描画専用のメモリ（ＶＲＡＭ）を備える構成であっても良い。なお、後者の場合、ＲＡＭ１２とＶＲＡＭとを合わせた構成が本願の「記憶部」に該当する。
【００２９】
ストレージ１３は、連絡先、各種アイコン等の画像データ、着信音等の音データ等を記憶する。ストレージ１３としては、例えばＮＡＮＤ型フラッシュメモリ又はＳＤカード等のフラッシュメモリを用いることができる。
【００３０】
タッチパネル１４は、表示部２１と、受付部２２と、から構成されている。
【００３１】
表示部２１は、液晶ディスプレイ等で構成されており、例えばストレージ１３に記憶された連絡先に基づいて作成された画像を表示することができる。
【００３２】
受付部２２は、ユーザによる表示部２１へのタッチ操作を検出する。本実施形態では、タッチ操作を検出する方式として、投影型の静電容量方式を採用する。この方式は、表示パネルに、透過性の高い電極を複数配置し、表示パネルに指先が接近した際の静電容量の変化に基づいて、タッチ位置を検出する。受付部２２は、例えば表示部２１に指先を接触させた状態で指先を滑らせるフリック操作を検出可能である。
【００３３】
次に、連絡先の詳細を示す画像を作成する処理、及び、この画像の表示中に前記フリック操作を受け付けたときにページを遷移させる処理について図２から図５までを参照して説明する。
【００３４】
ユーザは、タッチパネル１４に所定のタッチ操作を行うことで、登録されている連絡先の一覧を表示することができる。また、この連絡先の一覧から所定の人物を選択することで、この人物の連絡先の詳細を示す画像（連絡先画像）を表示させることができる。
【００３５】
ここで、図３（ａ）には連絡先画像の一例が示されている。この連絡先画像には、名前、電話番号、ファクシミリ番号、Ｅメールアドレス、会社名のそれぞれの項目について、項目名、アイコン、具体的な値（番号又は文字列）が記載されている。なお、以下では、この具体的な値が表示される領域を「データ表示領域」と称する。また、連絡先画像から、この具体的な値を除いた画像をベース画像（図３（ｂ）を参照）と称する。
【００３６】
ＣＰＵ１１は、この連絡先画像を表示させる指示をユーザから受けた場合、初めに２枚のベース画像を作成する（Ｓ１０１）。次に、ＣＰＵ１１は、２枚のベース画像のうち１枚に対して、ユーザが選択した人物の連絡先の情報をストレージ１３から取得し、データ表示領域に入力する（Ｓ１０２）。
【００３７】
なお、残りの１枚のベース画像については特に処理を行わず、バックグラウンドで保持する。ここで、本願において「バックグラウンドで保持」とは、表示中でない画像をＲＡＭ１２に記憶させ続けることを意味する。
【００３８】
次に、ＣＰＵ１１は、連絡先の情報を入力することで作成した連絡先画像を表示画像（表示部２１に表示する画像）としてセットし（Ｓ１０３）、表示部２１に表示する制御を行う（Ｓ１０４）。
【００３９】
図４（ａ）には、ステップＳ１０４の処理を終えた直後の状態が示されている。即ち、表示中の画像１にはデータ表示領域に所定の値が入力されており、バックグラウンドで保持されている画像２にはまだデータ表示領域に値が入力されていない。
【００４０】
次に、ＣＰＵ１１は、ユーザがフリック操作を行って、これを受付部２２が受け付けるまで待機する（Ｓ１０５）。そして、受付部２２がフリック操作を受け付けた場合、ＣＰＵ１１は、受け付けたフリックの方向に応じた次の連絡先の情報を取得する（Ｓ１０６）。ＣＰＵ１１は、取得した連絡先の情報を、バッググラウンドで保持していたベース画像のデータ表示領域に入力する（Ｓ１０７）。
【００４１】
図４（ｂ）には、ステップＳ１０７の処理を終えた直後の状態が示されている。即ち、バックグラウンドで保持されている画像２のデータ表示領域に所定の値が入力されている。
【００４２】
次に、ＣＰＵ１１は、表示中の連絡先画像の表示画像としてのセットを解除し、バックグラウンドで保持する（Ｓ１０８）。このとき、データ処理領域に入力された値を削除する必要はなく、この連絡先画像は、そのままバックグラウンドで保持される。
【００４３】
また、ＣＰＵ１１は、上記の処理とともに、バックグラウンドで保持されている連絡先画像を表示画像としてセットする（Ｓ１０８）。そして、ＣＰＵ１１は、セットした連絡先画像を表示部２１に表示する（Ｓ１０４）。これにより、次の人物の連絡先画像が表示されることとなる。
【００４４】
図４（ｃ）には、ステップＳ１０４を再び実行した直後の状態が示されている。即ち、表示部２１には次の人物の連絡先画像が表示されており、前に表示されていた連絡先画像はバックグラウンドで保持されている。
【００４５】
その後、ＣＰＵ１１は、ユーザがフリック操作を行って、これを受付部２２が受け付けるまで再び待機する（Ｓ１０５）。そして、受付部２２がフリック操作を受け付けた場合、再び、ステップＳ１０６からステップＳ１０８の処理を実行する。
【００４６】
なお、上記の１回目の処理ではバックグラウンドにベース画像を保持していたため、ステップＳ１０７において、空欄のデータ処理領域に値を入力する処理を実行したが、今回のように２回目以降の処理ではデータ処理領域に既に値が入力されている。従って、２回目以降の処理では、ＣＰＵ１１はステップＳ１０７において、データ処理領域の値を上書きする。
【００４７】
図５には、２回目以降の処理の具体例が示されている。図５（ａ）には、前回行われたフリック操作により新たな人物の連絡先画像が表示された状態が示されている。図５（ｂ）には、２回目以降のフリック操作を受け付けることで、バックグラウンドで保持していた連絡先画像のデータ処理領域の値が上書きされた後の状態が示されている。図５（ｃ）には、図５（ｂ）で作成した連絡先画像を表示部２１に表示させた後の状態が示されている。
【００４８】
次に、本実施形態の処理と、従来の処理と、を比較する。図６は、従来例における、連絡先表示画像を遷移させるときの処理を概念的に示す図である。
【００４９】
従来では、データ表示領域に値を入力する（上書き）して連絡先画像を作成するのではなく、連絡先画像を初めから作成していた。つまり、連絡先画像を作成する毎に、項目名及びアイコンを読み出して配置する処理が必要であった。そのため、ＣＰＵの処理量が多くなっていた。
【００５０】
また、スムーズなページ遷移を実現するためには、図６に示すように、複数枚の連絡先画像を予め作成しておく必要がある。しかしこの場合、ＲＡＭの使用量が増大してしまう。また、表示後の連絡先画像もＲＡＭに記憶され続けるので、ＲＡＭの記憶領域を開放する処理が別途必要となる。
【００５１】
これに対し、本実施形態では、一度作成した連絡先画像を再利用して（データ表示領域に値を上書きして）連絡先画像を作成するため、項目名及びアイコンを読み出して配置する処理が不要となり、ＣＰＵの処理量を低減できる。特に、本実施形態では、データ表示領域には、容量が少ないテキストデータが入力され、容量が大きいアイコン等を再利用できるので、ＣＰＵの処理量を一層低減できる。
【００５２】
また、ＣＰＵの処理量を低減することで、予め複数枚の連絡先画像をバックグラウンドで保持しておくことが不要となり、ＲＡＭの使用量を低減できる。また、連絡先画像を再利用することで、ＲＡＭの記憶領域を開放させる処理が不要となるので、処理を単純にすることができる。
【００５３】
以上に説明したように、本実施形態のスマートフォン１０は、表示部２１と、ＲＡＭ１２と、受付部２２と、ＣＰＵ１１と、を備える。表示部２１は、ベース画像のデータ表示領域にデータが入力された画像であるデータ表示画像（連絡先画像）を表示する。ＲＡＭ１２は、表示部２１に表示するデータ表示画像に加え、ベース画像及びデータ表示画像のうち少なくとも何れかをバックグラウンドで保持する。受付部２２は、データ表示画像を別のデータ表示画像へ遷移させる指示を受け付ける。ＣＰＵ１１は、表示部２１にデータ表示画像を表示するとともに、ベース画像及びデータ表示画像のうち少なくとも何れかをバックグラウンドでＲＡＭ１２に保持する。また、ＣＰＵ１１は、データ表示画像を遷移させる指示を受付部２２が受け付けた場合に、表示部２１に表示中のデータ表示画像をバックグラウンドに移行してＲＡＭ１２に保持するとともに、バックグラウンドで保持されていたベース画像又はデータ表示画像のデータ表示領域にデータを入力して作成したデータ表示画像を表示部２１に表示する。
【００５４】
これにより、データ表示領域のデータを書き換えて新たなデータ表示画像（連絡先画像）を作成しているため、ＲＡＭ１２の使用量の増加を抑えることができる。従って、ＲＡＭ１２の記憶領域を開放する処理を省略することができる。また、ページ遷移毎に新たに画像を作成する構成と比較して、ＣＰＵ１１の処理量を軽減できる。
【００５５】
また、本実施形態のスマートフォン１０において、ＲＡＭ１２は、表示部２１に表示するデータ表示画像に加え、ベース画像又はデータ表示画像のうち一方を１枚分だけバックグラウンドで保持する。
【００５６】
これにより、ＲＡＭ１２には合計２枚分の画像を記憶するだけで良いので、ＲＡＭ１２の使用量を一層抑えることができる。
【００５７】
また、本実施形態のスマートフォン１０において、ＣＰＵ１１は、受付部２２がデータ表示画像の遷移を受け付けた場合に、表示部２１に表示中のデータ表示画像のデータ表示領域に記載されたデータを残した状態で、当該データ表示画像をバックグラウンドに移行してＲＡＭ１２に保持する。
【００５８】
これにより、バックグラウンドへの移行時にデータ表示領域のデータを削除する処理を省略できる。また、データ表示画像の遷移を再び受け付けたときは、データ表示領域に記載されたデータを上書きすれば良いので、特に問題は生じない。
【００５９】
また、本実施形態のスマートフォン１０では、データ表示画像のデータ表示領域に記載されたデータがテキストデータである。
【００６０】
これにより、データ量が少ないテキストデータのみを書き換え、例えばアイコンや背景映像等のデータ量が多い他の部分を再利用できるので、ＣＰＵ１１の処理量を低減できる。
【００６１】
以上に本発明の好適な実施の形態を説明したが、上記の構成は例えば以下のように変更することができる。
【００６２】
上記では、本発明をスマートフォンに適用する方法を説明したが、他の通信端末装置（タブレット装置又はＰＣ等）にも適用することができる。
【００６３】
また、受付部はタッチパネルへの操作以外によるユーザの指示を受け付ける構成であっても良い。例えばスマートフォン又はタブレット装置の場合は、方向キー等のハードウェアキー、ＰＣの場合は、キーボード、マウス、トラックボール等による指示を挙げることができる。
【００６４】
連絡先画像の表示方法は任意であり、適宜変更することができる。例えば、上記で説明した以外の項目が表示されていても良いし、アイコンの表示を省略することもできる。また、一画面に２名分以上の連絡先画像を表示し、フリック操作等を受け付けた場合に、２名分以上の連絡先画像がまとめて書き換えられる構成であっても良い。
【００６５】
また、上記では連絡先画像は画面全体に表示される画像であるが、画面の一部に表示される画像が書き換えられる態様であっても良い。例えば画面の左側に人物の一覧を表示し、画面の右側にその人物の詳細な連絡先が表示する表示方法がこれに該当する。この表示方法では、左側の人物の一覧から所定の人物を選択するタッチ操作を受け付けることで、右側の詳細な連絡先画像が書き換えられる。
【００６６】
受付部２２は、フリック操作以外のタッチ操作を受け付ける構成であっても良い。また、タッチ操作を検出する方式は投影型の静電容量方式に限られず、適宜の方式を用いることができる。また、ユーザの指によるタッチ操作以外にも、例えば棒状の部材によるタッチ操作を検出する構成であっても良い。
【００６７】
上記では、バックグラウンドで１枚の画像を保持する構成であるが、バックグラウンドで２枚以上の画像を保持する構成であっても良い。
【００６８】
上記で示したフローチャートは、本発明を実現する処理の一例であり、処理の追加、削除、又は変更がされても良いし、複数の処理を並行して行っても良い。例えば、データ表示領域の上書きは、上記のようにフリック操作の受付け後ではなく、予め行っても良い。
【００６９】
上記では、本発明を連絡先の情報を表示するために用いたが、他の情報を表示するために用いることもできる。例えば、店舗毎の位置、営業時間、取扱い物等を表示するために用いたり、商品毎の値段、在庫状況、売上げ等を表示するために用いたりすることができる。
【符号の説明】
【００７０】
１０  スマートフォン（通信端末装置）
１１  ＣＰＵ（制御部）
１２  ＲＡＭ（記憶部）
１３  ストレージ
１４  タッチパネル
２１  表示部
２２  受付部
【図１】
2014206646.tif 000003
【図２】
2014206646.tif 000004
【図３】
2014206646.tif 000005
【図４】
2014206646.tif 000006
【図５】
2014206646.tif 000007
【図６】
2014206646.tif 000008